(57)【要約】      （修正有）【解決手段】外筐１と、この外筐を貫通して延びる、上面（または下面）に許容温度の低い部品を載置し、下面（又は上面）に装着部品を取り付け、且つソルダペーストを塗布したワークの搬送通路２と、この搬送通路の下側（又は上側）に配置した加熱手段２４と、上記ワーク搬送通路に向ってその下側（又は上側）から高温雰囲気を吹き出す高温雰囲気吹き出し手段７ａと、上記高温雰囲気を上記外筐内で循環せしめる高温雰囲気循環手段１５ａと、上記ワーク搬送通路に向ってその上側（又は下側）から冷気を吹き出す冷気吹き出し手段７ｂと、この冷気を上記外筐内で循環せしめる冷気循環手段１５ｂとより成るリフロー炉。【効果】ワーク搬送通路の上下面間に９０℃程度の温度差を形成できるため許容温度の低い部品が取り付けられていない側の基板面を加熱しソルダペーストの加熱温度を高くしてハンダ付けができ、従来のようにハンダ浴によるハンダ付けを必要としない。【選択図】図２
2005354082.tif 000002
【特許請求の範囲】
【請求項１】
外筐と、この外筐を貫通して延びる、上面に許容温度の低い部品を載置し、下面に装着部品を取り付け、且つソルダペーストを塗布したワークの搬送通路と、この搬送通路の下側に配置した加熱手段と、上記ワーク搬送通路に向ってその下側から高温雰囲気を吹き出す高温雰囲気吹き出し手段と、上記高温雰囲気を上記外筐内で循環せしめる高温雰囲気循環手段と、上記ワーク搬送通路に向ってその上側から冷気を吹き出す冷気吹き出し手段と、この冷気を上記外筐内で循環せしめる冷気循環手段とより成り、ワーク上面の装着部品の温度を上げることなくワークの下面から加熱してハンダ付けできるようにしたことを特徴とするリフロー炉。
【請求項２】
外筐と、この外筐を貫通して延びる、下面に許容温度の低い部品を載置し、上面に装着部品を取り付け、且つソルダペーストを塗布したワークの搬送通路と、この搬送通路の上側に配置した加熱手段と、上記ワーク搬送通路に向ってその上側から高温雰囲気を吹き出す高温雰囲気吹き出し手段と、上記高温雰囲気を上記外筐内で循環せしめる高温雰囲気循環手段と、上記ワーク搬送通路に向ってその下側から冷気を吹き出す冷気吹き出し手段と、この冷気を上記外筐内で循環せしめる冷気循環手段とより成り、ワーク下面の装着部品の温度を上げることなくワークの上面から加熱してハンダ付けできるようにしたことを特徴とするリフロー炉。
【請求項３】
上記外筐内が上記ワーク搬送通路の上流側から下流側に向って昇温部と、安定部と、リフロー部と、冷却部に区画されており、上記加熱手段が上記昇温部と上記リフロー部に夫々配置されていることを特徴とする請求項１または２記載のリフロー炉。
【発明の詳細な説明】
【技術分野】
【０００１】
本発明はリフロー炉、特に、ハンダ浴によるハンダ付けを不要とするリフロー炉に関するものである。
【背景技術】
【０００２】
リフローハンダ付けのためワークに熱風や冷風を加えて温度制御するリフロー炉は知られている（特許文献１）。
【特許文献１】特開平８−２９３６６６号公報（図１）
【０００３】
図６は従来のリフロー炉を示し、１はリフロー炉外筐、２はこの外筐１を貫通して延びるワーク搬送ベルト、３〜６はワークの進行方向に沿って順次に形成した第１予熱区域、第２予熱区域、リフロー部、冷却部、７は互いに隣接して配置した複数の雰囲気吹き出し口、８は上記ワーク搬送ベルト２の上流側と下流側に配置した雰囲気吸引ダクト、９はこの両雰囲気吸引ダクト８，８間を連結する排気管、１０は排気ブロワ、１１はこの排気管９と排気ブロワ１０間を連結する連結管である。
【０００４】
このような従来のリフロー炉においては排気管９に集められ第１，第２予熱区域３，４及びリフロー部５に雰囲気吹き出し口７から吹き出す雰囲気は加熱手段（図示せず）によって加熱し、循環手段（図示せず）を介して上記雰囲気吹き出し口７から吹き出すようにしている。
【０００５】
図７は上記ワーク搬送ベルト２によって搬送される基板２１と、この基板２１の下面に取り付けた許容温度の低い部品、例えばアルミ電解コンデンサ２２と、上面に取り付けた接着部品２３を示し、上記部品のハンダ付けは通常例えば２２０℃〜２４０℃で加熱処理されるが、上記許容温度の低い部品の許容温度は１５０℃程度であり、上記部品を保護し且つハンダ付けを可能とするためには基板２１の下面と上面間には炉内で大きな温度差を設ける必要があるが従来のリフロー炉ではこのような温度差を形成することができない。
【発明の開示】
【発明が解決しようとする課題】
【０００６】
上記のように従来のリフロー炉においては、ワーク搬送通路の上下面間に大きな温度差を形成することができず、従って許容温度の低い部品は基板１２の上面に配置し、下面からハンダ浴を用いてハンダ付け処理する必要があった。このようなハンダ浴を用いれば有害ガスの発生も多くなる。
【０００７】
本発明はこのような欠点を除くようにしたものである。
【課題を解決するための手段】
【０００８】
本発明のリフロー炉は、外筐と、この外筐を貫通して延びる、上面に許容温度の低い部品を載置し、下面に装着部品を取り付け、且つソルダペーストを塗布したワークの搬送通路と、この搬送通路の下側に配置した加熱手段と、上記ワーク搬送通路に向ってその下側から高温雰囲気を吹き出す高温雰囲気吹き出し手段と、上記高温雰囲気を上記外筐内で循環せしめる高温雰囲気循環手段と、上記ワーク搬送通路に向ってその上側から冷気を吹き出す冷気吹き出し手段と、この冷気を上記外筐内で循環せしめる冷気循環手段とより成り、ワーク上面の装着部品の温度を上げることなくワークの下面から加熱してハンダ付けできるようにしたことを特徴とする。
【０００９】
また、本発明のリフロー炉においては、外筐と、この外筐を貫通して延びる、下面に許容温度の低い部品を載置し、上面に装着部品を取り付け、且つソルダペーストを塗布したワークの搬送通路と、この搬送通路の上側に配置した加熱手段と、上記ワーク搬送通路に向ってその上側から高温雰囲気を吹き出す高温雰囲気吹き出し手段と、上記高温雰囲気を上記外筐内で循環せしめる高温雰囲気循環手段と、上記ワーク搬送通路に向ってその下側から冷気を吹き出す冷気吹き出し手段と、この冷気を上記外筐内で循環せしめる冷気循環手段とより成り、ワーク下面の装着部品の温度を上げることなくワークの上面から加熱してハンダ付けできるようにしたことを特徴とする。
【００１０】
また、本発明のリフロー炉においては、上記外筐内が上記ワーク搬送通路の上流側から下流側に向って昇温部と、安定部と、リフロー部と、冷却部に区画されており、上記加熱手段が上記昇温部と上記リフロー部に夫々配置されていることを特徴とする。
【発明の効果】
【００１１】
本発明のリフロー炉によれば、ワーク搬送通路の上下面間に９０℃程度の温度差を形成できるため許容温度の低い部品を下側（又は上側）としてワークを搬送でき、また、従来のハンダ浴によるハンダ付け処理を必要としないようになる。
【発明を実施するための最良の形態】
【００１２】
以下図面によって本発明の実施例を説明する。
【実施例１】
【００１３】
本発明においては図１及び図２に示すように上面に許容温度の低い部品２２を配置し、下面に装着部品２３を取り付け、且つソルダペースト（図示せず）を上下面に塗布した基板２１を搬送ベルト２によってワーク搬送通路に沿って搬送せしめると共に、外筐１内を上記搬送通路の上流側から下流側に向って昇温部３３と、安定部３４と、リフロー部３５と、冷却部３６とに区画し、上記昇温部３３と、上記リフロー部３５において上記搬送通路の下側に夫々加熱手段２４を配置する。
【００１４】
また、上記搬送通路に向かってその下側から高温雰囲気を高温雰囲気吹き出し口７ａを介して吹き出すようにし、この高温雰囲気を高温雰囲気循環手段によって上記外筐１内で循環せしめ、下側の雰囲気温度を例えば２２０℃〜２４０℃とする。
【００１５】
同様にして上記搬送通路に向ってその上側から冷気を冷気吹き出し口７ｂを介して吹き出すようにし、この冷気を冷気循環手段によって上記外筐１内で循環せしめ、上記搬送通路の上側の雰囲気温度を例えば８０℃〜１５０℃とする。
【００１６】
上記高温雰囲気循環手段は、図２に示すようにワーク搬送通路の下側（又は上側）に配置した浄化エアー導入ダクト１９ａと、ヒーター１８を有するダクト１７ａと、高温雰囲気循環用ブロワ１５ａと、高温雰囲気ダクト１６ａと、上記ダクト１７ａに対する炉内雰囲気の導入ダクト２０ａとにより構成する。
【００１７】
また、上記冷気循環手段は、図２に示すようにワーク搬送通路の上側に配置した浄化エアー導入ダクト１９ｂと、ダクト１７ｂと、冷気循環用ブロワ１５ｂと、冷気ダクト１６ｂと、上記ダクト１７ｂに対する炉内雰囲気の導入ダクト２０ｂとにより構成し、必要に応じて上記導入ダクト１９ｂにクーラ１４ｂを介して冷気を導入する。
【００１８】
また、本発明のリフロー炉においては上記加熱手段２４は図３に示すように例えば１ＫＷのハロゲンランプ２５と、反射板２６と、透明保護ガラス板２７とにより構成し、ソルダペーストが位置される上記基板２１の下面側の温度を例えば２２０℃〜２４０℃となるように制御せしめる。
【実施例２】
【００１９】
本発明の実施例２においては上記上面、上側を夫々下面、下側とする。即ち、図４及び図５に示すように下面に許容温度の低い部品２２を配置し、上面に装着部品２３を取り付け、且つソルダペースト（図示せず）を上下面に塗布した基板２１を搬送ベルト２によってワーク搬送通路に沿って搬送せしめると共に、外筐１内を上記搬送通路の上流側から下流側に向って昇温部３３と、安定部３４と、リフロー部３５と、冷却部３６とに区画し、上記昇温部３３と、上記リフロー部３５において上記搬送通路の上側に夫々加熱手段２４を配置する。
【００２０】
また、上記搬送通路に向かってその上側から高温雰囲気を高温雰囲気吹き出し口７ｂを介して吹き出すようにし、この高温雰囲気を高温雰囲気循環手段によって上記外筐１内で循環せしめ、上側の雰囲気温度を例えば２２０℃〜２４０℃とする。
【００２１】
同様にして上記搬送通路に向ってその下側から冷気を冷気吹き出し口７ａを介して吹き出すようにし、この冷気を冷気循環手段によって上記外筐１内で循環せしめ、上記搬送通路の下側の雰囲気温度を例えば８０℃〜１５０℃とする。
【００２２】
上記高温雰囲気循環手段は、図５に示すようにワーク搬送通路の上側に配置した浄化エアー導入ダクト１９ｂと、ヒーター１８を有するダクト１７ｂと、高温雰囲気循環用ブロワ１５ｂと、高温雰囲気ダクト１６ｂと、上記ダクト１７ｂに対する炉内雰囲気の導入ダクト２０ｂとにより構成する。
【００２３】
また、上記冷気循環手段は、図５に示すようにワーク搬送通路の下側に配置した浄化エアー導入ダクト１９ａと、ダクト１７ａと、冷気循環用ブロワ１５ａと、冷気ダクト１６ａと、上記ダクト１７ａに対する炉内雰囲気の導入ダクト２０ａとにより構成し、必要に応じて上記導入ダクト１９ａにクーラ１４ａを介して冷気を導入する。
【００２４】
また、上記加熱手段２４によりソルダペーストが位置される上記基板２１の上面側の温度を例えば２２０℃〜２４０℃となるように制御せしめる。
【００２５】
本発明のリフロー炉によれば、ワーク搬送通路の上下面間に９０℃程度の温度差を形成できるため許容温度の低い部品が取り付けられていない側の基板２１の面を加熱しソルダペーストの加熱温度を高くしてハンダ付けができ、従来のようにハンダ浴によるハンダ付けを必要としないようになる。
【図面の簡単な説明】
【００２６】
【図１】本発明のリフロー炉の正面図である。
【図２】図１に示すリフロー炉の要部の拡大側面図である。
【図３】図１に示すリフロー炉における加熱手段の説明図である。
【図４】本発明の他の実施例のリフロー炉の正面図である。
【図５】図４に示すリフロー炉の要部の拡大側面図である。
【図６】従来のリフロー炉の正面図である。
【図７】基板とワークの説明図である。
【符号の説明】
【００２７】
１    リフロー炉外筐
２    ワーク搬送ベルト
３    予熱区域
４    予熱区域
５    リフロー部
６    冷却部
７    雰囲気吹き出し口
７ａ  吹き出し口
７ｂ  吹き出し口
８    雰囲気吸引ダクト
９    排気管
１０    排気ブロワ
１１    連結管
１４ａ  クーラ
１４ｂ  クーラ
１５ａ  雰囲気循環用ブロワ
１５ｂ  冷気循環用ブロワ
１６ａ  高温雰囲気ダクト
１６ｂ  冷気ダクト
１７ａ  ダクト
１７ｂ  ダクト
１８    ヒーター
１９ａ  浄化エアー導入ダクト
１９ｂ  浄化エアー導入ダクト
２０ａ  雰囲気導入ダクト
２０ｂ  雰囲気導入ダクト
２１    基板
２２    アルミ電解コンデンサ
２３    接着部品
２４    加熱手段
２５    ハロゲンランプ
２６    反射板
２７    透明保護ガラス板
３３    昇温部
３４    安定部
３５    リフロー部
３６    冷却部
【図１】
2005354082.tif 000003
【図２】
2005354082.tif 000004
【図３】
2005354082.tif 000005
【図４】
2005354082.tif 000006
【図５】
2005354082.tif 000007
【図６】
2005354082.tif 000008
【図７】
2005354082.tif 000009